(57)【要約】【課題】  作動可能なターミナルのサービス、作動及び制御に利用可能な最新の機能を常に有する方法を提供する。【解決手段】  物理的ユニットのターミナル及び制御機器のすべてが、ベースターミナル機器を介して物理的に別体のコントロールセンターに接続される方法及びシステムが提案されている。このコントロールセンターには、さらなる物理的ユニットのベースターミナル機器が接続される。また、コントロールセンターには、ターミナルの製造、及びターミナル用のサービス又はターミナルのタイプを供給するプロジューサが接続される。ターミナルを作動させるために、制御機器の入力である選択処理が、コントロールセンターを介して機器のプロジューサに搬送され、そこで生じた制御信号がそこからコントロールセンターを介して関連のターミナルに供給されるようにしている。したがって、あるタイプのリモコン装置とそれによって制御される機器との間に直接的な接続はない。【選択図】図１１
2009533914.tif 000002
【特許請求の範囲】
【請求項１】
作動可能なターミナル（７）の作動及び／又は制御を行うシステムであって、
１．１  少なくとも１つのターミナル（７）であって、
１．１．１  制御信号の受信及び状態情報の送信を行うインターフェース
を有する少なくとも１つのターミナル（７）と、
１．２  情報及び／又は命令を入力する少なくとも１つの入力装置と、
１．３  情報を表示する少なくとも１つのインジケータ装置と、
１．４  ベースターミナル機器（６）であって、
１．４．１  少なくとも１つのターミナル（７）、少なくとも１つの入力装置及び少なくとも１つのインジケータ装置に接続されている、ベースターミナル機器（６）と、
１．５  コントロールセンター（１）であって、
１．５．１  ベース機器（６）に接続されて、
１．５．２  ベース機器（６）から情報を受け取り、
１．５．３  少なくとも１つのターミナル（７）に転送するように制御信号をベース機器（６）に供給する、コントロールセンター（１）と
を備えるシステム。
【請求項２】
２．１  インジケータ装置、
２．２  入力装置、及び
２．３  双方向インターフェース
を有する、少なくとも１つの制御機器（８）を備える、請求項１に記載のシステム。
【請求項３】
ベースターミナル機器（６）は、入力装置又は制御機器（８）からの情報又は命令がコントロールセンター（１）のみへ供給されるような形である、請求項１又は２に記載のシステム。
【請求項４】
コントロールセンター（１）は、入力装置又は制御機器（８）によって供給された情報に応答して、ターミナル（７）に制御コマンドを供給する、先行する請求項のいずれか１項に記載のシステム。
【請求項５】
コントロールセンター（１）は、特に入力装置又は制御機器（８）によって供給された情報に応答して、インジケータ装置又は制御機器（８）に情報を供給するように構成される、先行する請求項のいずれか１項に記載のシステム。
【請求項６】
入力装置又は制御機器（８）によって供給された情報は、どのターミナル（７）を作動させるかを決定する、先行する請求項のいずれか１項に記載のシステム。
【請求項７】
コントロールセンター（１）は、さらなる情報項目が制御機器（８）に供給されるか、且つ／又は制御信号がターミナル（７）に供給されるかどうかを決定することにより、入力装置又は制御機器（８）によって供給された情報に応答する、先行する請求項のいずれか１項に記載のシステム。
【請求項８】
コントロールセンター（１）は、ベースターミナル機器（６）に接続されたターミナル（７）に関して記憶されている情報を有する、先行する請求項のいずれか１項に記載のシステム。
【請求項９】
コントロールセンター（１）は、個別にアドレス指定して区別することができる多数のベースターミナル機器（６）に接続される、先行する請求項のいずれか１項に記載のシステム。
【請求項１０】
コントロールセンター（１）は、各ターミナル（７）を担当するプロジューサからプロジューサユニットに接続される、先行する請求項のいずれか１項に記載のシステム。
【請求項１１】
コントロールセンター（１）は、情報をベースターミナルユニット（６）から担当のプロジューサ（５）に転送する、請求項１０に記載のシステム。
【請求項１２】
コントロールセンター（１）は、制御コマンド及び／又はプロジューサユニット（５）から到来する情報、及びその情報に応答してそこで発生する情報をベースターミナルユニット（６）に供給する、請求項１０又は１１に記載のシステム。
【請求項１３】
ベースターミナル機器は、コントロールセンター（１）への接続を独立的にセットアップして、明示顧客番号を送信するような形である、先行する請求項のいずれか１項に記載のシステム。
【請求項１４】
ターミナル（７）は、状態情報としてそれらの製造者、それらのタイプ、及びおそらくはそれらのシリアルナンバも送信するような形である、先行する請求項のいずれか１項に記載のシステム。
【請求項１５】
ターミナル（７）は、それらの状態情報をベースターミナル機器（６）を介してコントロールセンター（１）に供給する、先行する請求項のいずれか１項に記載のシステム。
【請求項１６】
各ターミナル（７）、入力装置、出力装置、制御機器（８）及びベースターミナル機器（６）は、ターミナル（７）、入力装置、出力装置、制御機器（８）及びベースターミナル機器（６）間の接続を暗号化するために使用される符合化キー用の入力機構を有する、先行する請求項のいずれか１項に記載のシステム。
【請求項１７】
各ターミナル（７）、入力装置、出力装置及び制御機器（８）は、それらが関連のベースターミナル機器（６）を明示的に識別することができるような形である、先行する請求項のいずれか１項に記載のシステム。
【請求項１８】
各ターミナル（７）、入力装置、出力装置及び制御機器（８）は、符合化キーの入力に続いてベースターミナル機器（６）への接続を独立的にセットアップする、請求項１６又は１７に記載のシステム。
【請求項１９】
ベースターミナル機器（６）は、符合化キーが一致する場合だけ、ターミナル（７）及びコントロールセンター（１）間の接続をセットアップする、請求項１６〜１８のいずれか１項に記載のシステム。
【請求項２０】
ベースターミナル機器（６）は、特に比較的大容量のデータ用にバッファ記憶装置を有する、先行する請求項のいずれか１項に記載のシステム。
【請求項２１】
ベースターミナル機器（６）は、緊急動作を許可する、先行する請求項のいずれか１項に記載のシステム。
【請求項２２】
ベースターミナル機器（６）は、記憶されている緊急動作に必要な制御コマンドを有する、請求項２０又は２１に記載のシステム。
【請求項２３】
緊急動作の実行に必要な制御コマンドは、それぞれの関連プロジューサによって供給されて、ベースターミナル機器（６）内に記憶される、請求項２２に記載のシステム。
【請求項２４】
情報及び制御信号は、暗号化された形でコントロールセンター（１）及びベースターミナル機器（６）間で交換される、先行する請求項のいずれか１項に記載のシステム。
【請求項２５】
コントロールセンター（１）及び少なくとも１つのベースターミナル機器（６）は、それらが互いに明示的に名乗り出ることができるような形である、先行する請求項のいずれか１項に記載のシステム。
【請求項２６】
情報及び制御信号は、暗号化された形でコントロールセンター（１）及びプロジューサ（５）間で交換される、先行する請求項のいずれか１項に記載のシステム。
【請求項２７】
コントロールセンター（１）及びプロジューサ（５）は、互いに明示的に名乗り出ることができる、先行する請求項のいずれか１項に記載のシステム。
【請求項２８】
コントロールセンター（１）内に保持された情報は、顧客別に暗号化される、先行する請求項のいずれか１項に記載のシステム。
【請求項２９】
ベースターミナル機器（６）内に保持された情報は、顧客別に暗号化される、先行する請求項のいずれか１項に記載のシステム。
【請求項３０】
ベースターミナル機器（６）内に保持された情報は、プロジューサ別に暗号化される、先行する請求項のいずれか１項に記載のシステム。
【請求項３１】
符号化キーは、ハード機器、例えばドングル（３１）及び／又はＳＩＭカード（３０）内で実行且つ／又は記憶される形で存在する、請求項１６〜３０のいずれか１項に記載のシステム。
【請求項３２】
複数の個人別制御機器（８）が、ベースターミナル機器（６）用に設けられる、先行する請求項のいずれか１項に記載のシステム。
【請求項３３】
ベースターミナル機器（６）とその関連ターミナル（７）、さらに制御機器（８）との間の通信は、無線で行われる、先行する請求項のいずれか１項に記載のシステム。
【請求項３４】
制御機器（８）の位置を特定する目的で、住宅ユニット内に分散する複数の受信器を有する、先行する請求項のいずれか１項に記載のシステム。
【請求項３５】
コントロールセンター（１）は、ベースターミナル機器（６）を識別することなく、情報をプロジューサに転送する、先行する請求項のいずれか１項に記載のシステム。
【請求項３６】
インジケータ装置は、特に記号も表示する視覚インジケータである、先行する請求項のいずれか１項に記載のシステム。
【請求項３７】
インジケータ装置は、音響インジケータを有する、先行する請求項のいずれか１項に記載のシステム。
【請求項３８】
インジケータ装置は、触覚インジケータである、先行する請求項のいずれか１項に記載のシステム。
【請求項３９】
入力装置、特に制御機器（８）の入力装置は、圧力に反応する、先行する請求項のいずれか１項に記載のシステム。
【請求項４０】
入力装置、特に制御機器（８）の入力装置は、音声入力を有する、先行する請求項のいずれか１項に記載のシステム。
【請求項４１】
音声認識は、コントロールセンター（１）内で行われる、請求項４０に記載のシステム。
【請求項４２】
コントロールセンター（１）は、音声信号に基づいてユーザ認識を行う、請求項４０又は４１に記載のシステム。
【請求項４３】
制御機器（８）は、コントロールセンター（１）によって初期化される、先行する請求項のいずれか１項に記載のシステム。
【請求項４４】
ターミナル（７）が、コントロールセンター（１）によって初期化される、先行する請求項のいずれか１項に記載のシステム。
【請求項４５】
情報は、階層化メニューでインジケータ装置に示される、先行する請求項のいずれか１項に記載のシステム。
【請求項４６】
コントロールセンター（１）は、あるターミナル（７）から複数の可能なターミナル（７）の１つへの出力の搬送を制御するような形である、先行する請求項のいずれか１項に記載のシステム。
【請求項４７】
コントロールセンター（１）は、標準ターミナル（７）用の標準制御情報項目を保存して、プロジューサ（５）でチェックすることなく、それを制御機器（８）に供給してもよい、先行する請求項のいずれか１項に記載のシステム。
【請求項４８】
ベースターミナル機器（６）を識別するとともに、情報交換を暗号化するために必要なキー又はキーペアを記憶するベース識別手段を有する、先行する請求項のいずれか１項に記載のシステム。
【請求項４９】
ベース識別手段は、コントロールセンター（１）用の識別及び／又は明示シリアルナンバ及び／又は非対称キーの両部分及び／又はコントロールセンター（１）からの公開キーを含む、請求項４８に記載のシステム。
【請求項５０】
個人を明示的に識別し、且つ暗号化情報に必要とされるキー又はキーペアを記憶する少なくとも１つの個人識別手段を有する、先行する請求項のいずれか１項に記載のシステム。
【請求項５１】
個人識別手段は、コントロールセンター（１）用の識別及び／又は明示シリアルナンバ及び／又は非対称キーの両部分及び／又はコントロールセンター（１）からの公開キーを含む、請求項５０に記載のシステム。
【請求項５２】
個人識別手段は、コントロールセンター（１）を介したベースターミナル機器（６）の識別を許可する、請求項５０又は５１に記載のシステム。
【請求項５３】
ベースターミナル機器（６）に関連付けられた複数の個人識別手段を有する、請求項５０〜５２のいずれか１項に記載のシステム。
【請求項５４】
ベースターミナル機器（６）に関連付けられた個人識別手段は、異なった認証を有する、請求項５０〜５３のいずれか１項に記載のシステム。
【請求項５５】
ベース識別手段及び／又は個人識別手段は、物理的な形で実現される、請求項５０〜５４のいずれか１項に記載のシステム。
【請求項５６】
ベース識別手段は、ＳＩＭカードなどとして実現されて、ベースターミナル機器（６）内に配置される、請求項４８〜５５のいずれか１項に記載のシステム。
【請求項５７】
個人識別手段は、ドングル及び／又はスティックのように構成される、請求項５０〜５６のいずれか１項に記載のシステム。
【請求項５８】
個人識別手段は、ベースターミナル機器（６）に初めて接続されたターミナル（７）を有効にするために使用される、請求項５０〜５７のいずれか１項に記載のシステム。
【請求項５９】
個人識別手段に接続される制御機器（８）は、個人識別手段が関連付けられるベースターミナル機器（６）に接続されているターミナル（７）の作動及び／又は制御を行うように構成される、請求項５０〜５８のいずれか１項に記載のシステム。
【請求項６０】
入力装置又は制御機器（８）は、関連のベースターミナル機器（６）に接続された任意のターミナル（７）及び／又は任意のプロジューサ及び／又は情報の供給者を評価するための入力機構を有する、先行する請求項のいずれか１項に記載のシステム。
【請求項６１】
入力機構は、ターミナル（７）及び／又はプロジューサ及び／又は情報の供給者を一度評価するように構成される、請求項６０に記載のシステム。
【請求項６２】
入力装置又は制御機器（８）は、このベースターミナル機器（６）及び／又はこの個人によって送信された評価を変更するための入力機構を有する、請求項６０又は６１に記載のシステム。
【請求項６３】
入力装置又は制御機器（８）は、システムを使用して作動させることができるターミナル（７）及び／又はプロジューサ及び／又は情報の供給者の評価の表示を選択するための入力機構を有する、先行する請求項のいずれか１項に記載のシステム。
【請求項６４】
少なくとも１つの入力装置、特に制御機器（８）を用いて電子的に作動可能なターミナル（７）の作動及び／又は制御を行う方法であって、
６４．１  ターミナル（７）をコントロールセンター（１）で識別し、
６４．２  コントロールセンター（１）は、ターミナル（７）の識別をターミナル（７）の可能なプロジューサ（５）に転送し、
６４．３  ターミナル（７）のプロジューサ（５）は、作動及び／又は制御情報、及び／又はターミナル（７）に可能な制御コマンド（複数可）をコントロールセンター（１）に供給し、
６４．４  コントロールセンター（１）は、プロジューサ（５）から得た情報及び／又は制御コマンドをインジケータ装置、特に制御機器（８）に、且つ／又は
６４．５  ターミナル（７）に供給する、方法。
【請求項６５】
ターミナル（７）は、その製造者及びそのタイプ記述子によって識別される、請求項６４に記載の方法。
【請求項６６】
ターミナル（７）及び／又はユーザの個人の場所は、コントロールセンター（１）のみで識別され、それは、この情報をターミナル（７）のプロジューサに転送しない、請求項６４又は６５に記載の方法。
【請求項６７】
入力装置及び／又はターミナル（７）から到来する情報及び／又は命令の内容は、それぞれの担当のプロジューサだけに知らされる、請求項６４〜６６のいずれか１項に記載の方法。
【請求項６８】
ある場所に存在するターミナル（７）に関する情報は、コントロールセンター（１）に記憶されたままである、請求項６４〜６７のいずれか１項に記載の方法。
【請求項６９】
入力装置への入力に、最初に作動させるべき、識別中のターミナル（７）の場所が、次に、作動させるべき、識別中のターミナル（７）が続く、請求項６４〜６８のいずれか１項に記載の方法。
【請求項７０】
作動させるべきターミナル（７）の場所は、入力装置に局所的に接続されたベースターミナル機器（６）についての識別を評価することによって識別される、請求項６４〜６９のいずれか１項に記載の方法。
【請求項７１】
作動させるべきターミナル（７）の場所は、制御機器（８）に接続された個人識別手段からの識別を評価することによって識別される、請求項６４〜７０のいずれか１項に記載の方法。
【請求項７２】
作動させるべきターミナル（７）の場所が、要求を発する制御機器（８）の場所と異なった、同一のコントロールセンター（１）の有効範囲に入るベースターミナル機器（６）に関連付けられる場合、情報はコントロールセンター（１）から他のベースターミナル機器（６）へ転送され、且つ戻される、請求項６４〜７１のいずれか１項に記載の方法。
【請求項７３】
作動させるべきターミナル（７）の場所が、要求を発する制御機器（８）の場所と異なったコントロールセンター（１）に関連付けられる場合、情報は１つのコントロールセンター（１）から他のコントロールセンター（１）へ転送され、且つ戻される、請求項６４〜７２のいずれか１項に記載の方法。
【請求項７４】
ターミナル（７）は、名乗り出る、請求項６４〜７３のいずれか１項に記載の方法。
【請求項７５】
制御機器（８）に関連する複数のターミナル（７）に対して、コントロールセンター（１）は、情報を制御機器（８）に供給し、制御機器（８）の入力を使用して、制御信号を供給するターミナル（７）を選択する、請求項６４〜７４のいずれか１項に記載の方法。
【請求項７６】
ターミナル（７）及び／又はサービス及び／又は情報項目の選択に続いて、ユーザは、このターミナル（７）、サービス又は情報の格付け機構をインジケータ装置上に備えており、また、ユーザによる選択に続いて、コントロールセンター（１）は、評価を、評価された物の識別及びユーザの個人用の明示的であるが匿名識別と一緒に記録する、請求項６４〜７５のいずれか１項に記載の方法。
【請求項７７】
電子的に作動可能なターミナル（７）及び／又はターミナル（７）の、且つターミナル（７）用のプロジューサ（５）を、少なくとも１つの入力装置、特に制御機器（８）を、特に請求項１〜６３のいずれか１項に記載されているようなシステムとともに使用して格付けする方法であって、
７７．１  局所ユニットの各ターミナル（７）がコントロールセンター（１）で識別され、  
７７．２  コントロールセンター（１）は、ターミナル（７）用の識別を、このターミナル（７）に関して可能な少なくとも１つのプロジューサ（５）に転送し、
７７．３  このプロジューサ（５）は、それの作動及び／又はターミナル（７）に関連する制御情報及び／又は制御コマンド及び／又は他のサービスをコントロールセンター（１）に供給し、
７７．４  コントロールセンター（１）は、プロジューサ（５）から得た物をインジケータ装置、特に制御機器（８）に供給し、
７７．５  コントロールセンターは、インジケータ装置上に表示された物用の格付け機構を与え、
７７．６  ユーザは評価を選択し、
７７．７  コントロールセンター（１）は、評価、物、及びユーザ用の明示的であるが匿名の個人識別をデータベースに記録する
ステップを含む方法。
【請求項７８】
ターミナル（７）及び／又はプロジューサ（５）などを、特に請求項１〜６３のいずれか１項に記載されているようなシステムで格付けする方法であって、
７８．１  ユーザが、個人識別手段を用いてコントロールセンター（１）に名乗り、
７８．２  コントローラセンター（１）は、格付けすべき物（７、５）の選択のための表示をインジケータ装置でユーザに供給し、
７８．３  ユーザは、入力装置を使用して自分が評価すべき物（７、５）を選択し、
７８．４  物（７、５）の選択に続いて、コントロールセンター（１）は、この物（７、５）に対して可能である格付け段階をインジケータ装置上でユーザに与え、
７８．５  ユーザは、妥当な格付け段階を選択し、
７８．６  コントロールセンター（１）は、物（７、５）の評価、及びユーザ用の明示的であるが匿名の個人識別をデータベースに記録する
ステップを含む方法。
【請求項７９】
ユーザが評価すべき物（７、５）を選択したとき、制御センサ（１）は、データベースをチェックして、それがこのユーザ用のこの物（７、５）の評価をすでに含むかどうかを決定し、それがそのような評価をすでに含む場合、ユーザにこのデータベースへのエントリ許可を与え、それにより、自分の評価を変更することができる、請求項７７又は７８に記載の方法。
【請求項８０】
ユーザは、コントロールセンター（１）が認識している明示シリアルナンバと、コントロールセンター（１）からの少なくとも公開キーとを含む識別手段を用いて、コントロールセンター（１）に名乗り出る、請求項７７〜７９のいずれか１項に記載の方法。
【請求項８１】
ユーザは、識別手段を使用してコントロールセンター（１）を明示的に識別することができる、請求項８０に記載の方法。
【請求項８２】
個人識別手段は、コントロールセンター（１）がベースターミナル機器（６）を介して接続される入力装置に接続される、請求項７７〜８１のいずれか１項に記載の方法。
【請求項８３】
複数のコントロールセンター（１）が、格付けを含む共通のデータベースにアクセスする、請求項７７〜８２のいずれか１項に記載の方法。
【請求項８４】
可能な格付け基準及び／又は格付け段階は、評価されるべき物のプロジューサが入手できないようになっている、請求項７７〜８３のいずれか１項に記載の方法。
【発明の詳細な説明】
【技術分野】
【０００１】
本発明は、作動可能なターミナルの作動及び／又は制御を行うシステムに関する。
【背景技術】
【０００２】
今日では、家庭内のほとんどのエンターテインメント機器がリモコン機能を有する、すなわち、リモコン装置を使用して作動及び制御を行うことができる。これは通常、赤外線接続部を使用して行われる。幾つかの機器があるとき、各機器用に専用のリモコン装置を使用することが必要である場合が時々ある。
【０００３】
さまざまな機器を制御するために使用することができるユニバーサルリモコン装置もすでに知られてきている。しかしながら、この場合、それらを異なった機器用に設定することは、必ずしも十分に容易ではない。
【０００４】
視聴覚機器がその状態情報をリモコン装置の画面上に示す、視聴覚機器及びリモコン装置間の双方向遠隔制御がすでに既知である。その場合、ユーザは、例えば、ＣＤのタイトルをこの画面で見て選択することができる。この場合、視聴覚機器によって与えられるこの情報を、このタイトルについてさらにどのような詳細が存在するかをチェックするためにインターネットを使用する際の基本として利用することができることも、すでに知られている（米国特許第６，２５５，９６１号）。
【０００５】
加えて、機器データベースからさまざまなタイプの機器及び製造者用の情報及び制御コマンドを得るとともに、リモコン装置上に示すことができるグラフィカルユーザインターフェースからエレメントを得るためにインターネットを使用することができる、複数の視聴覚機器用のリモコン装置が既知である。製造者のデータベースへのこの接続は、定期的に、例えば、機器を登録する毎に行われることができる。制御コマンド及びその時に確認されるグラフィカルユーザインターフェースは、リモコン装置内に記憶される（国際公開第ＷＯ０３／１００５５３号）。
【０００６】
加えて、家庭用電子機器コンポーネントの遠隔制御及びメディアコンテンツの管理用のシステムが既知である（ドイツ特許第１０３１０７４６号）。この文脈において、家庭用コンポーネント及び通信機器は、インターネットアクセス用のそれぞれの専用インターフェースを備えている。コマンドは、インターネットを介して中央サーバに送られ、また、これからインターネットを介して家庭用コンポーネントに戻される。サーバは、コマンドの内容を認識する。
【０００７】
家庭電化製品をＬＡＮに接続し、またこれらの電化製品をインターネットから起動させることも、同様に既知の習慣である。しかしながら、この場合、電化製品はＬＡＮからインターネットにアクセスすることができないので、データ交換はできない（国際公開第ＷＯ９９／６５１９２号）。サービスプロバイダは、サービスサーバ上にソフトウェアをロードすることができる。
【特許文献１】国際公開第ＷＯ０３／１００５５３号
【特許文献２】ドイツ特許第１０３１０７４６号
【特許文献３】国際公開第ＷＯ９９／６５１９２号
【発明の開示】
【発明が解決しようとする課題】
【０００８】
本発明は、作動可能なターミナルのサービス、作動及び制御に利用可能な最新の機能を常に有する方法を提供するという目的に基づく。したがって、ターミナル上の処理に瞬時に反応することができることが、常に意図される。
【課題を解決するための手段】
【０００９】
この目的を達成するために、本発明は、請求項１に記載の特徴を有するシステムを提供する。本発明の発展が、従属請求項の主題事項である。
【発明の実施の形態】
【００１０】
本発明によって提案されるシステムは、まず最初に、ターミナル、すなわち少なくとも１つのターミナルを含む。これは、インターフェースを介して機構を作動させることを必要とする。今日ではすでに整備されている赤外線制御を使用するリモコン機構は、機器がインターフェースを有することを必要とするので、ほとんどの機器でそうでなければならない。
【００１１】
ターミナルは、そのインターフェースによってベースターミナル機器に接続され、ベースターミナル機器自体は、ターミナルを含む領域の外のコントロールセンターに接続されている。ベースターミナル機器にも入力装置が接続され、これをユーザが使用して情報を入力することができる。この情報は、ベースターミナル機器を介してコントロールセンターに送られ、命令として解釈される。この情報に基づいて、コントロールセンターはベースターミナル機器を使用して、制御信号をターミナルに供給するか、制御信号及び情報信号をインジケータ装置に供給するかのいずれかができる。したがって、視覚作用が今日までの遠隔制御にほぼ対応する入力装置は、ターミナルをアドレス指定しない。ターミナルは、局所ユニットの外に配置されたコントロールセンターによってアドレス指定される。
【００１２】
ターミナルがインターフェースを介して供給する状態情報も、直接的にインジケータ装置に供給されるのではなく、ベースターミナル機器を介してコントロールセンターへ送られ、そこで処理又は編集されることができる。
【００１３】
これらの方法に基づいて、制御コマンドは、現在優勢である瞬時状況を考慮することが可能である。さらに、入力装置は、ターミナルとして動作するだけであるので、簡単な構造であることが可能である。
【００１４】
入力装置及びインジケータ装置を結合して、制御ユニットとして知られる１つの機器にすることに意味があるであろうし、本発明によってそれが提案される。実際に、その場合にはこの制御ユニットは、これまでのリモコン装置とまさに同じ外観を有する。しかしながら、入力装置をインジケータ装置から分離させる、又はその他、やはり入力装置を有する制御ユニットをアドレス指定する入力装置を使用することも、同様に可能である。
【００１５】
本発明の１つの発展では、ベースターミナル機器が、制御機器からの情報をコントロールセンターだけに供給するような形であるようにしてもよい。
【００１６】
例えばサービス会社に位置するコントロールセンターは、制御機器によって供給された情報に応答して、制御コマンドをそれぞれのターミナル（複数可）に供給するような形でもよい。
【００１７】
しかしながら、特別な状況において、例えば、緊急状況で、又はターミナルが破損している可能性があり、それをオフに切り換えるほうがよいことを意味すると認識する場合、コントロールセンターが制御コマンドを独立的に供給するようにしてもよい。これは、例えば、ターミナル自体によって供給される、すなわち、制御機器によって供給されるものではない状態情報に応答して起きるであろう。
【００１８】
本発明の１つの発展では、コントロールセンターが制御機器に情報を供給するようにしてもよい。この情報は、アドレス指定されたターミナルからの状態情報から得られる情報でもよい。一例として、制御コマンドがターミナルによって確認されたとき、情報を供給してもよい。
【００１９】
しかしながら、コントロールセンターが、制御機器からの情報を、まだ制御信号を発生しないが、さらなる情報信号を発生する根拠として利用し、その情報信号を制御機器に表示することも、同様に可能である。これは、制御機器からの情報信号がさらなるオプションを与え、次にそれらから選択する必要もある場合に当てはまる。
【００２０】
ターミナル用の実際の制御コマンドは、特に制御機器から到来する情報に応答して、コントロールセンターによって供給されることは、すでに述べた。しかしながら、制御機器、言い換えると制御機器によって送られる情報は、どのターミナルに制御コマンドを供給するかを決定する。したがって、ターミナルは、コントロールセンター内ではなく、制御機器内で選択される。外部において、すでに上述したように、緊急の際には、コントロールセンターが制御機器からの情報を無視するというやり方があるであろう。
【００２１】
繰り返すと、制御機器は、どのターミナルを選択するかを決定する。しかしながら、この情報信号に基づいて、制御コマンド又はその他のさらなる情報項目を実際に今、供給するかどうかを決定するのは、コントロールセンターである。一例として、ユーザが機器の容量の増加を望む状況は、コントロールセンターが、この要求を制御コマンドに変換しないで、容量がすでに非常に大きく、増加すべきでないことを制御機器のユーザに表示することを必要とすることが考えられる。
【００２２】
本発明の１つの発展では、コントロールセンターが、ベースターミナル機器に接続されたターミナルに関してメモリに記憶された情報を有するようにしてもよい。この情報は、機器のそれぞれの現在状態を表す状態情報ではなく、ターミナルのタイプ、モデル及びシリアルナンバに関する情報である。この情報は通常、非常にゆっくり変化し、そのことは、この情報をコントロールセンター内で持続メモリに一度記憶することに意味があるように見えることを意味する。当然ながら、特定の処理の開始に必要ならば、状態情報も記憶される。しかしながら、これは一時記憶を要する。
【００２３】
しかしながら、ターミナルがそれらの機器情報を、状態情報に加えて常に送り出すことも可能である。
【００２４】
例えば、サービス会社の場合、コントロールセンターは、ターミナルを含むＬＡＮの外にあることは、すでに述べた。当然ながら、コントロールセンターが個々のユニット、例えば住宅や事務所の建物などに位置する多数のベースターミナル機器に接続されることに意味がある。コントロールセンターは、個々のベースターミナル機器をアドレス指定して識別することができるような形である。これは、顧客番号の割り当て又は同様な方法によって行われることができる。
【００２５】
ターミナルのすべての可能な種類、タイプ及びモデルをそれぞれの場合に瞬時に制御コマンドで供給できるために、本発明の１つの発展は、コントロールセンターが、各ターミナルを担当するプロジューサからプロジューサユニットに接続されることを伴う。コントロールセンターがベースターミナル機器のターミナルについて有する情報に基づいて、コントロールセンターは、それぞれのターミナルを担当するプロジューサを確認することができる。プロジューサユニットとは、特定の製造者からの機器情報又はサービス会社からの他の情報を結合するユニットを意味するものと理解されたい。これは通常、データベースで実行される。
【００２６】
この局面に当たり、プロジューサの概念について何か述べる必要もある。さまざまなタイプのプロジューサがある。一方では、それらは当然ながら、機器の直接的な製造者であって、機器を制御するための制御コマンドを与える。しかしながら、この機器用のサービスを提供するサービスプロジューサがあり、例えば、テレビ受像機の場合、さまざまな放送局がそれらの番組を提供する。本例では、高位のプロジューサ、すなわち、一種のテレビ雑誌を作成するプロジューサもあり、ユーザがそれからそれぞれの番組及び放送局を選択するようにしてもよい。
【００２７】
ＣＤプレーヤの場合も、幾つかのタイプのプロジューサ、すなわち、機器の製造者、音楽のプロジューサ、作曲家の可能性さえある。
【００２８】
コントロールセンターが、一般的な百科事典のプロジューサに接続し、それにより、特定の作曲家の音楽を演奏するとき、その作家自身に関する情報をユーザが入手できるようにすることも、考えられる。
【００２９】
コントロールセンターは、特定のベースターミナル機器から到来する情報を担当のプロジューサ（複数可）に転送するような形である。どのプロジューサが担当するかは、状態情報、又はその他、コントロールセンターが、特定のベースターミナル機器に接続されたターミナルについて有する情報のいずれか一方から得ることができる。
【００３０】
コントロールセンターがプロジューサに転送する情報のタイプは、プロジューサのタイプによって決まるであろう。
【００３１】
これらのプロジューサの各々はこの時、この機器又はこのタイプの機器に提供することができる情報又は制御コマンドをコントロールセンターに供給する。
【００３２】
コントロールセンターは、この情報又はこれらのコマンドを家庭、及びそこで利用可能なインジケータ装置又は制御機器に供給する。ある特定の場合に表示すべきオプションの数が多すぎる場合、ユーザがその時点で行いたいことを選択するために使用することができる一種の検索エンジンを表示することも可能である。したがって、一例として、幾つかのやり方で、例えばテレビ受像機用の記号を使用するか、テレビ雑誌用の記号を使用してテレビ受像機にアクセスすることが可能である。
【００３３】
コントロールセンターはまた、プロジューサユニットから到来し、それに送られた情報に応答してそこで発生する制御コマンド及び／又は情報を、情報が送り出されたベースターミナルユニットに供給するような形でもよい。したがって、プロジューサは、ベースターミナル機器の所有者を認識できる必要はない。
【００３４】
本発明の一発展では、ベースターミナル機器は、それがコントロールセンターとの接続を独立的にセットアップして、明示的な顧客番号を送信するような形であるようにしてもよい。すなわち、ユーザが、先に購入又は賃貸しているベースターミナル機器を初めてインストールするとき、例えばインターネットに接続する結果、コントロールセンターへの接続が独立的にセットアップされ、コントロールセンターは次に、ベースターミナル機器のアドレス指定を行い、それにより、おそらくは顧客を識別することもできる。
【００３５】
コントロールセンターが機器のタイプに関する情報をその記憶手段に記憶できるようにするために、この情報を手動で入力することが考えられる。これは、バーコードマークを走査することによって行うこともできるであろう。しかしながら、本発明の１つの発展において、ターミナルは、それらが送る状態情報がそれらの製造者、それらのタイプ及びおそらくはそれらのシリアルナンバでもあるような形である場合、特に意味がある。これは、例えば、最初の登録時の１回限りの動作でよい。
【００３６】
本発明によれば、ベースターミナル機器を使用して、このように状態情報をターミナルによってコントロールセンターに送ることも可能である。
【００３７】
本発明によれば、各ターミナル、入力装置、出力装置、制御機器及びベースターミナル機器が、ターミナル、出力装置、入力装置、制御機器及びベースターミナル機器間の接続を暗号化するために使用される符合化キー用の入力機構を有するようにしてもよい。一例として、有線又は無線ネットワークは、情報が外部から盗聴される可能性を常に伴うため、住宅ユニット内のそのような暗号化には意味がある。
【００３８】
この方法を使用すれば、上記機器が関連のベースターミナル機器を明示的に識別することも可能である。
【００３９】
ターミナル及び／又は制御機器は、各ターミナル及び制御機器が、符号化キーの入力に続いて、ベースターミナル機器への接続を独立的にセットアップするような形でもよい。ベースターミナル機器は、符号化キー用の入力機構も有する、すなわち、符号化キーを認識してもよいので、ベースターミナル機器は、符号化キーが一致した場合だけ、ターミナル及びコントロールセンター間の接続をセットアップするようにしてもよい。
【００４０】
符号化キーは、それを一旦機器に入力すると、機器内に留まることができ、それにより、初期化は１回だけ行えばよい。
【００４１】
本発明の１つの発展では、ベースターミナル機器は、バッファ記憶装置を有し、バッファ記憶装置は、第１に、ターミナルからの状態情報をバッファ記憶するために使用されることができ、また、第２に、インターネットへの接続が相当に遅い場合、例えば外部から到来する比較的大容量のデータを提供して記憶するために使用されることもできるようになっている。
【００４２】
本発明によれば、コントロールセンターへの接続が遮断された場合、ベースターミナル機器は、緊急動作を許可することができる。この場合、ターミナルの緊急動作に必要な最も重要な制御コマンドを記憶しておいてもよい。しかしながら、その時、瞬間事象を考慮することはできない。
【００４３】
ターミナルの緊急動作に必要な制御プログラムは、それぞれの関連プロジューサによって供給されて、ベースターミナル機器内に記憶される。この場合、適当な暗号化により、プロジューサがそのデータだけにアクセスできることを確保できるであろう。
【００４４】
本発明の１つの発展では、コントロールセンター及びベースターミナル機器は、暗号化された形で接続されてもよい。
【００４５】
同じことが、コントロールセンター及びプロジューサ間での情報及び制御信号の交換にも当てはまる。
【００４６】
この場合も、家庭の内部のように、コントロールセンター及びベースターミナル機器間、及びコントロールセンター及びプロジューサ間が互いに明示的に名乗り出ることが確保されるであろう。
【００４７】
１つの発展では、コントロールセンターがベースターミナル機器のターミナルについて保持する情報が顧客別に暗号化されるようにしてもよい。
【００４８】
ベースターミナル機器内に保持された情報も、顧客別及び／又はプロジューサ別に暗号化されてもよい。
【００４９】
符号化キーがハードウェアの形であり、それにより、ユーザが自分の機器に符号化キーを順に与えることができる場合、意味があり、スティックの挿入が、機器に符号化キーを与える好適なやり方であり、それにより、この機器はその後に、ベースターミナル機器を使用してコントロールセンターに報告することができる。一例として、このスティックは、個々の顧客番号を含んでもよく、これは、顧客又はその他、家庭を識別するために使用されることができる。これにより、ベースターミナルユニットのハードウェアから独立的に、顧客の識別を行うことができる。
【００５０】
局所ユニット、すなわち、例えば住宅内のさまざまなユーザの設定及び好みを考慮できるようにするために、本発明は、ベースターミナル機器用に複数の個人別制御機器を設けるようにしてもよい。これらはすべて、同一の符号化キーを使用するが、それらは追加特徴によって異なってもよく、それらもコントロールセンターに送信されることができる。
【００５１】
これは、局所ユニット内のさまざまなユーザが、機器を制御するための機構を備える最も簡単なやり方である。しかしながら、本発明の１つの発展で提案するように、制御機器を、表示だけに使用される部分と、入力だけに使用される第２部分とに分割することも可能である。これは、音声制御下で、画面に表示される一定の入力動作を行うマイクロフォンであることができるであろう。そのような分割により、個人別に動作する、送信機付きの複数のマイクロフォンを設けることが可能である。この場合もやはり、最も簡単な場合、今は簡単にマイクロフォンと呼ぶ複数のそのような入力機器が、通常の、したがって、キーパッド又はタッチスクリーンの形の入力機構も有する制御機器に影響を与えると仮定することができる。しかしながら、この場合も、１つの発展は、表示だけに使用される、すなわち、この時に専用入力機構を有していない特別なインジケータ機器を使用するというオプションを与える。
【００５２】
表示だけに使用される複数のそのようなインジケータ機器がある場合、インジケータ機器用の機構を一人の個人だけに関連付けて設けることが可能である。これによって達成される効果は、このインジケータ機器が一人のユーザ用の選択オプションだけを表示することである。当然ながら、入力機器、例えば制御機器との関連付け自体も行われる。
【００５３】
複数の機器がベースターミナル機器に接続される局所ユニット内では、ケーブルの敷設を避けるために、好都合には通信を無線で行うことができる。
【００５４】
この種類の無線ネットワークの場合、本発明の１つの発展は、制御機器の位置を特定できるようにするために、住宅ユニット内に分散させる複数の受信器を準備してもよい。これは、一例として、さらなる選択を行わないで、その制御機器が現在位置しているまさにその部屋内で灯りをオンオフすることが可能であることを意味する。
【００５５】
本発明によれば、コントロールセンターは、ベースターミナル機器によって供給される情報が、そのベースターミナル機器を実際に識別することなく、プロジューサに転送されるような形でよい。これは、情報の機密性をエンドユーザが望むことを考慮している。
【００５６】
制御機器は、リモコン装置又はＰＤＡに似た構造の機器、すなわち、小型画面及びキーを備えるか、接触画面を備えるものでよい。この場合、インジケータは、視覚インジケータである。これは、情報を記号として提示することができる。
【００５７】
しかしながら、視覚障害者用に、インジケータ装置として音響インジケータを使用することも可能である。一例として、これは、制御機器を持ち上げたとき、オプションが音読されて、ユーザは、特定時にキーを使用して選択を開始するようにして、行われることができる。
【００５８】
同様に、インジケータ装置は、特定記号が表面から押し出されるアクティブインジケータであることも可能である。
【００５９】
同様に制御機器に設けられた入力装置は、例えば圧力に反応することができる、すなわち、接触画面でもよい。カーソルを制御するために個別キーを設けることも可能である。
【００６０】
入力装置が音声入力であれば、特に意味がある。これは、本発明に特別な価値を与えるが、その場合、コントロールセンター内のそれぞれの最新の方法を使用して実際の音声認識を行うことができるからである。
【００６１】
音声を使用した入力装置の場合、コントロールセンターは、音声情報をユーザ認識の基礎として利用することもできるような形でよい。
【００６２】
当然ながら、制御機器も製造者を有し、このことは、制御機器を初期化したとき、この場合もコントロールセンターが関連のプロジューサに初期化の実行を知らせることができることを意味する。
【００６３】
本発明の１つの発展では、コントロールセンターは、１つのターミナルから複数の可能な他のターミナルの１つへ出力を搬送するような形でもよい。これは、オーディオ機器からの出力を、例えば異なる部屋にセットアップされている複数のスピーカの１つに送ろうとする状況に合わせられる。これらのスピーカ又はスピーカ対のいずれに出力信号を送ろうとするかを決定するために、製造者に尋ねることが時に不必要であり、このことは、コントロールセンター自体がこの情報を搬送することができることを意味する。
【００６４】
搬送が一旦終了すると、データは、ベースターミナル機器を介してコントロールセンターへ送られ、そこからベースターミナル機器を介して選択のターミナルに戻されることができる。
【００６５】
本発明の１つの発展では、コントロールセンター及び／又はベースターミナル機器の搬送を通してデータを１つのターミナルから別のものへ直接的に送るようにしてもよい。
【００６６】
本発明の別の発展では、コントロールセンターが、特定の標準状況及び標準機器についての標準情報を保持し、それが該標準情報をメニューとして制御機器に送ることができるようにしてもよい。オーディオ再生の場合、例えば音量、バランス、高音域及び低音域を設定することが常に可能である。この場合、コントロールセンターは、標準状態を保持することができ、それぞれのプロジューサに尋ねる必要がないであろう。
【００６７】
ベースターミナル機器によって表される家庭を識別するために、システムは、例えばベースターミナル機器にプラグ接続又は挿入されたベース識別手段を含んでもよい。ベース識別手段は、情報交換の暗号化及び課金の識別に必要な情報、例えばコントロールセンター用の識別、明示シリアルナンバ、及び非対称キーの両部分とともに、コントロールセンターからの公開キーを含むような形でもよい。好都合には、これらのデータは、作成中にコントロールセンターのオペレータによってベース識別手段に、特に後で再び変更することができないようにして書き込まれる。また、キーペア内の秘密キーに外部からアクセスできないという保証がある。コントロールセンターのオペレータは、特定番号のベース識別手段、例えばＳＩＭカードを作成し、これらはデータベースに記録される。そのようなカードを購入すると、そのシリアルナンバが有効になり、関連の顧客番号に結合される。
【００６８】
システムが個人を明示的に識別する個人識別手段を含むことも、同様に可能である。例えば家庭の場合、ベースターミナル機器にベース識別手段、例えばＳＩＭカードを与えることが可能である。そして、この家庭用に、個人がサービスプロバイダから、例えばベースターミナル機器と一緒に購入する個人識別手段を設けることができる。家庭の複数の構成員用に、第１の識別手段と同一の認可、又は他のグレードの認可のいずれか一方を有するそれぞれの個別の個人識別手段を購入することができる。
【００６９】
これらの識別手段は好ましくは、物理的な形で、例えばドングル又はＳＩＭカードの形で実現される。
【００７０】
ベース識別手段と同様にして、個人識別手段は、情報交換の暗号化及び課金の識別に必要な情報、例えばコントロールセンター用の識別、明示シリアルナンバ、及び非対称キーの両部分とともに、コントロールセンターからの公開キーを含むような形でよい。好都合には、これらのデータは、作成中にコントロールセンターのオペレータによって個人識別手段に、特に後で再び変更することができないようにして書き込まれる。また、この文脈において、キーペアの秘密キーに外部からアクセスできないという保証がある。コントロールセンターのオペレータは、特定番号の個人識別手段、例えばドングルを作成し、これらはデータベースに記録される。そのようなドングルを購入すると、そのシリアルナンバが有効になり、関連の顧客番号に結合される。
【００７１】
個人識別手段は、例えば見返りに支払いをする場合にだけ特別なサービスが提供される時に課金が必要である個人を識別するために使用されることができる。これにより、例えばホテル又は公共施設内のシステムの利用者がそのようなサービスを受けることができ、その時、それらはホテルを介してではなく、直接的に利用者に課金される。
【００７２】
物理的に実行される個人識別手段が、個人識別手段が実際に属する物理的ユニットのベースターミナル機器を識別できることも可能である。その場合、このように遠隔制御を行うことが可能である。ユーザが、ホテル内の入力機器で自分のドングルを使用して名乗り出て、その機器がコントロールセンターに報告するとき、コントロールセンターは、個人識別手段が、報告を送る接続機器と異なるベースターミナル機器に属することを証明することができる。その場合、システムは、ユーザが、自分の家庭内のベースターミナル機器に切り換えるか、又は自分が現在いる場所の機器を制御するかを選択できるようにする。このようにして、ユーザは自分の家庭の一定の監視動作を実行することができ、自分の家庭が、彼が登録するために使用したベースターミナル機器と異なったコントロールセンターに関連付けられているときでも、これが可能な場合が時々ある。この場合、制御及び情報コマンドを、現在のベースターミナル機器用のコントロールセンターから、所望のデータターミナル機器用のコントロールセンターへ転送することができる。
【００７３】
個人識別手段が、それをコントロールセンターに接続する際のベースターミナル機器に関連付けられているかどうかを確認するために、コントロールセンター内に記憶されているシリアルナンバを使用することができる。個人識別手段のシリアルナンバがこのコントロールセンターに記憶されていない場合、このコントロールセンターは他のコントロールセンターに要求を、又は上位の管理センターに要求を発行することができる。
【００７４】
複数の個人識別手段をベースターミナル機器に関連付けることが可能である。これらは、同一又は異なった認可のいずれを有してもよい。
【００７５】
本発明の１つの発展では、ベース識別手段及び／又は個人識別手段が、物理的な形で、例えばＳＩＭカードの形及び／又はドングル又はスティックの形で実現されてもよいことが提案されている。この場合、ベース識別手段は好ましくは、ベースターミナル機器内に永久的に配置される。
【００７６】
個人識別手段は、ベースターミナル機器に接続されたターミナルの初回の有効化に使用される。これは、１回限りの動作であり、このことは、個人識別手段をターミナルに接続したままにしないことを意味する。
【００７７】
特に、制御機器及び／又は入力機器は、個人識別手段に接続される手段、例えばプラグ接続部を有してもよい。
【００７８】
本発明の１つの発展では、入力機器を使用して、関連のベースターミナル機器に接続されている各ターミナルについての格付けを送ることができるようになっている。格付けを送る個人は、キーを使用した署名によって明示的に識別されることができるので、個人が、格付けを操作するために格付けを複数回送るかどうかをチェックすることも可能である。システムの動作は、格付けが繰り返される場合、ユーザは自分の前のエントリに避難し、次にユーザはこれを、新しい格付けを追加格付けとして登録することなく、変更することができるようなものでよい。
【００７９】
操作の告発を避けるために、顧客は複数の評価を送ることができるが、多数の命令を伴うことが確認されることも考えられる。
【００８０】
ターミナル自体の格付け以外に、当然ながら顧客は、プロジューサ及び他のサービスプロバイダを、すなわち、例えばテレビ番組又はテレビ雑誌を含めて、格付けすることができる。
【００８１】
格付けは、以下のように進むことができる。ユーザが機器を、又は入力機器又は制御機器上の情報を選択して、この時にその機器を作動させたい、又は作動させることができる時はいつも、システムは彼に、選択可能な項目の形で格付けを送るオプションを与える。格付け項目が選択されると、システムは彼に、異なった基準を含む格付け段階又はノードを与える。これらの基準は、評価すべき機器のタイプによって決めることができ、またタイプ毎に変わるであろう。例えば、品質、取り扱い安さ、価格性能比、視覚的外観などを評価することが可能である。
【００８２】
基準を含む評価機構は、機器のプロジューサによって提供されることが考えられる。しかしながら、格付け基準及び格付けノードを別の場所によって提供することも、意味があるように思われる。これは、例えばコントロールセンター自体であるか、異なったタイプの機器用の基準を考え出す一種の消費者センターでもよい。この格付けは、機器だけでなく、漠然とした意味でそのような機器に何か関係があるサービスにも関係する。
【００８３】
この種類の格付けは、利用可能なシステムを使用して行われることができるので、上記の他のオプションのすべてが、格付けの暗号化、及び格付けを記憶し、おそらくは処理する場所についての匿名化を含めて、利用可能である。
【００８４】
当然ながら、そのようなシステムの顧客はすべて、他の格付けすべてへのアクセスを、おそらくは全体としての格付けの評価へのアクセスさえも読んでいる。
【００８５】
本発明が提案する方法は、あるユニット、例えば住宅ユニット内のターミナルが、ベースターミナル機器を介してコントロールセンターに名乗ることを含む。コントロールセンターは、その識別をターミナルのプロジューサに転送する。プロジューサは、コントロールセンター及びベースターミナル機器を介して制御機器上に表示を行い、ユーザが、この表示から１つの機器を選択する。この選択情報は、選択されたターミナルのプロジューサに、やはりコントロールセンターを介して搬送され、それにより、プロジューサは、この機器用の制御信号を発生することができ、該プロジューサは次に、やはりコントロールセンターを介して、制御機器を迂回して、それを直接的にターミナルに送る。
【００８６】
この方法では、作動させるべき、且つ／又は制御すべきターミナル及び入力機器は、同一場所に存在する必要がない。
【００８７】
本発明の１つの発展では、ターミナル及び／又はそのターミナルを作動させたいユーザの個人の場所がコントロールセンターだけに明らかになるようにしてもよい。コントロールセンターは、この情報をそのターミナルに可能なプロジューサに転送しない。
【００８８】
反対に、ユーザから到来する情報及び／又は命令の内容が、コントロールセンターによってそれぞれのプロジューサだけに転送される一方、コントロールセンター自体は、この情報の内容を知らないようにしてもよい。
【００８９】
ある場所に存在するターミナルに関する情報をコントロールセンターに記憶したままにし、それにより、ターミナルが毎回再び名乗り出る必要がないようにしてもよい。
【００９０】
本発明の１つの発展では、入力装置又は制御機器の入力に、まず第１に、作動させるべきターミナルの場所の、例えばベースターミナル機器を介した確認が続き、次に作動させるべきターミナルの識別が続くようにしてもよい。
【００９１】
作動させるべきターミナルの場所を識別するために、まず第１にベースターミナル機器の識別を評価し、しかしながら、その後に続いて、個人識別手段の識別も行う。
【００９２】
個人識別手段及び局所識別手段間の局所関連付けが一致しないことが証明される場合、個人識別手段が関連付けられる場所で、ターミナルの遠隔制御を行うことができる。これは、同一のコントロールセンターに関連付けられる場所、又は異なったコントロールセンターに関連付けられる場所のいずれであってもよい。この場合、情報は、第１コントロールセンターから第２コントロールセンターへ、またその逆に転送される。
【００９３】
本発明は同様に、請求項７７及び７８の特徴を有する方法であって、特に本明細書に記載したようなシステムを使用して実行される方法を提供する。これらの方法のために、本明細書に記載したすべての特徴、特に暗号化、明示的識別及び匿名の保持を行う方法を使用することが可能である。
【００９４】
請求項７７に記載の方法が含むのは、家庭内に存在するターミナルの格付けだけではない。それは、これらのターミナルと関係があるすべてのサービスを格付けすることができることを含む。いずれのターミナルも、直接的なプロジューサ又は製造者を有する。ターミナルの格付けも、ターミナルの製造者の格付けだけではなく、一例として、適応挙動は、ターミナルに関してではなく、製造者に関して何かを語るからである。したがって、ターミナルの製造者は、ターミナルから分離して格付けされることができる。しかしながら、ターミナルについては、別の種類のプロジューサ、例えば、番組を提供するテレビ局もある。この番組も、テレビ局と同様に、格付けされることができる。テレビ局が今、映画を放送する場合、映画の作製者もプロジューサであると考えることができる。大量のテレビ局及びそれらの番組に関するテレビ雑誌も、より広い意味でターミナル「テレビ受像機」のプロジューサである。
【００９５】
その方法に基づいて、家庭内のすべてのターミナルがコントロールセンターに識別される。コントロールセンターは次に、ターミナル用の識別を、このターミナルに考えられるすべてのプロジューサに転送する。これらは、例えばテレビ受像機の場合、テレビ雑誌も含む。
【００９６】
テレビ雑誌を作製するプロジューサは、テレビ受信器に係わるものであって、外部でそれがどの番組をケーブル又は衛星で受信できるかに興味があるだけである。テレビ受像機のタイプ又はテレビ受像機のシリアルナンバは、ここでは問題でない。この理由から、コントロールセンターは、例えばターミナルのタイプだけを番組雑誌の発行者に転送する。反対に、実際の製造者は、機器の詳細も得る。したがって、プロジューサに送られる機器の識別の種類は、プロジューサの種類によって決まる。
【００９７】
これらのプロジューサの各々はこの時、この機器又はこの種類の機器に提供することができる情報又は制御コマンドをコントロールセンターに提供する。
【００９８】
コントロールセンターは、この情報又はこれらのコマンドを家庭及びそこで利用可能なインジケータ装置又は制御機器に供給する。ある特定の場合において、表示すべきオプションの数が多すぎる場合、ユーザがその時点で行いたいものを選択するために使用することができる一種の検索エンジンを表示することも可能である。したがって、例えば、幾つかのやり方でテレビ受像機にアクセスすることが可能である。第１に、番組選択及びテレビ局選択によってそこから番組に到達するために、テレビ受像機用の記号を選択することができるであろう。別のオプションは、特定の番組を選択するために、テレビ雑誌を、又は、もっとわかりやすく言うと、番組雑誌を使用するものであり、その場合、番組の選択後にだけ、この番組がロードされているかどうかが決定され、現在流れているテレビ番組を使用して、又は保存されているデータ記憶媒体を使用して、又はインターネットから表示される。
【００９９】
格付けが意味を持つそのような表示の任意の段階で、ユーザは次に、記号を選択するか、何らかの他の手段を使用して、この物の格付けを送ることができる。
【０１００】
請求項７８に記載された方法の場合も、初期選択は、検索エンジンを使用して、又は階層化メニューを用いて行われることができる。評価されるべき物は、請求項７７の方法の場合と同じでもよく、又はその他、ターミナルに関係ない他の物でもよい。したがって、物とは、ターミナル、ターミナルのプロジューサ、又は情報のプロジューサだけを意味するのではなく、この場合、他のサービスプロバイダ、例えば保険会社も意味することを理解されたい。
【０１０１】
一実施形態で実行されるすべての特徴は、他のすべての実施形態にも当てはまる。本発明のさらなる特徴、詳細及び利点は、特許請求の範囲及び要約に見いだすことができ、その両方の表現は、明細書の内容、すなわち本発明の好適な実施形態の、図面も参照した以下の説明に組み込まれる。
【図示例】
【０１０２】
図１は、本発明に基づいたシステムの概要を示す。システムの中心点は、コントロールセンター１であり、これは、転送の点で切り換え中心として使用される。コントロールセンターは、データベース２、３を制御し、これらは、第１に、接続した顧客からのデータを、また第２に、機器の製造者又は供給者からのデータ又はシステムに関係しているサービスを含む。コントロールセンターは、第１に多数のユニット４に接続され、これらを家庭と呼ぶことができる。しかしながら、それらは家庭である必要はなく、商業施設、事務所、ホテルなどでもよい。コントロールセンター１は、個々の家庭４の識別及びアドレス指定を行うことができる。
【０１０３】
他方、コントロールセンター１は、多数のプロジューサ５に接続され、プロジューサの数は当然ながら家庭の数より小さい。コントロールセンター１は、プロジューサ５を個別に識別してアドレス指定することもできる。コントロールセンター１は、第１に家庭４及びそれらの機器を認識し、この情報は、例えばデータベース２内に収められる。第２に、それはプロジューサ５を認識し、プロジューサ５に関する情報は、第２データベース３に収容されることができる。一方側の家庭４及び他方側のプロジューサ５間の接続は、コントロールセンター１自体によって行われることができ、これは、プロジューサが個々の家庭４を識別できないような形である。
【０１０４】
コントロールセンター１は、家庭４及びプロジューサ５間で情報及び制御コマンドを搬送する。この情報伝達は、この目的のために必要ではない情報はまったく交換されないようにして行われることができる。しかしながら、サービスに対する課金を行うこともできる。情報及び制御コマンドは、コントロールセンター１及びプロジューサ５間のように、暗号化した形でコントロールセンター１及び家庭４間で伝送されることができる。データベース２、３内での情報の記憶も同様に、個人別に暗号化されることができる。
【０１０５】
図２は、図１に参照記号４を付けられている家庭の構造を、幾分より詳細に示す。この家庭又は住宅ユニットは、特にインターネットを介してコントロールセンター１に接続されるベースターミナル機器６を含む。このベースターミナル機器６は、家庭といわゆる外の世界との間の接続をセットアップする。住宅ユニット又は家庭は、ベースターミナル機器６又はそれのシリアルナンバ又は顧客番号によって識別されることができる。この顧客番号は、補助機器、例えばＳＩＭカード又はメモリスティック内に保持される。
【０１０６】
ベースターミナル機器６は、それに接続された複数のターミナル７を有し、その接続は双方向である。また、ベースターミナル機器６は、それに同様に双方向に接続された少なくとも１つの制御機器８を有する。制御機器８及びターミナル７間には直接的な接続がない。ベースターミナル機器６は、一方ではターミナル７と制御機器８との間、他方ではコントロールセンター１との間でデータストリームを搬送する。コントロールセンター１の観点から見ると、制御機器８は特殊なターミナルである。
【０１０７】
ターミナル７の各々がインターフェースを備え、これは、機器の機能を実行する制御信号を機器に供給するためにインターフェースを使用できるようにする。さらに、インターフェースは、状態情報を積極的に、又はこの情報が要求された時だけ、送り出すのに適する。両方向でこの情報はすべて、ベースターミナル機器６へ送られる。
【０１０８】
ベースターミナル機器６は、コントロールセンター１に、具体的にはオンラインで接続される。前述したように、コントロールセンター１自体は、同様にオンラインでプロジューサ５に接続される。
【０１０９】
制御機器８は、ターミナル７の作動及び／又は制御の開始に使用される。制御機器８の入力用の実際の処理論理は、ターミナル内や制御機器８自体内に含まれるのではなく、むしろコントロールセンター１によって供給される。しかしながら、コントロールセンター１も、制御機器８自体から信号を要求するためにこれらの応答を生じるのではなく、むしろこの情報及びこれらの制御コマンドをプロジューサ５から得る。コントロールセンター１は、要求だけをターミナル８から担当の製造者に送り、そこから生じた制御コマンドを再び対応のベースターミナル機器６及びターミナル７に送る。
【０１１０】
製造者への要求が必要ない場合、コントロールセンターは情報を制御機器へ自動的に送る、又は動作を実行することもできる。これは、例えばターミナルの出力を幾つかの他のターミナルの１つに接続する必要がある場合であろう。この仲介は、コントロールセンター１によって独立的に行われることができる。
【０１１１】
図３はここで、例えばどの機器をアドレス指定することができるかを示すための選択例を使用する。
【０１１２】
特定の家庭のベースターミナル機器６には、テレビ受像機１１、チューナ１２、洗濯機１３、ビデオレコーダ１４、ＤＶＤプレーヤ１５及びＣＤプレーヤ１６が接続されている。したがって、これらは、この特定の家庭用のターミナルである。また当然ながら、制御機器８はベースターミナル機器６に接続されている。
【０１１３】
前述したように、基本初期化に続いて、制御装置１は、この家庭内に存在する機器を認識する。ここで、制御機器８を起動すると、コントロールセンター１は制御機器８の製造者を促して、制御機器の画面９に機器用の記号を供給して、それらを画面９上に示すことができるようにし、該機器は、この家庭用のコントロールセンター１で記録される。したがって、制御機器８の画面９は、図３においてターミナル用の記号を示す。これを図４に拡大して示す。この図示の例では、制御機器８は感圧画面９を有し、他の種類のキー又は動作要素がまったくないと仮定する。機器のユーザはここで、どの機器を制御又は動作させたいかを選択する必要がある。機器に対応する記号に、例えばペン又は他に指を使用してタッチすることにより、これを行うことができる。ここで、ユーザはチューナ１２から音楽を聴くことを望むと仮定し、それにより、ユーザはここでチューナに対応する記号を押す。
【０１１４】
コントロールセンター１に到着するこの情報に基づいて、利用可能な他の選択オプションがあるので、ターミナル用の制御コマンドを発生することはまだできない。コントロールセンター１は、この機器に可能であるすべての局を記憶している場所へ選択信号を送る。このサービスプロバイダはこの時、新しい画面内容を制御機器８に供給し、ここで該画面内容は個々の局を、例えば図５に示すバーとして示す。ユーザが指で押して、又はバーに直接的に圧力を掛けることによって移動させることができるスクロールバー２０を使用して、ユーザはここで、局を、おそらくはプログラムさえも直接的に選択することができる。
【０１１５】
この情報信号に応答して、オーディオ機器の製造者はここで、さらなる画面を生じて、それを機器８の画面９に供給する。これを図６に示す。ユーザはここで、音量を設定するためにスライダ２１（上端部に示す）を使用することができ、左右のバランスを設定するために第２の表示スライダ２２を使用することができ、また、スピーカ又はヘッドホーンの切り換えを望むかどうかを選択することができる。
【０１１６】
図示の例では、このように３段階メニューが設けられ、第２メニューと同様に早く制御コマンドをオーディオ機器１２に送ることができる。
【０１１７】
同様にして、ユーザは他の機器も選択して作動させることができる。
【０１１８】
図７は、本発明によって提供される基本動作を、やはり非常に簡略化した形で示す。制御機器８の任意の状態から開始して、制御機器８の入力が情報信号を送る。これは、ベースターミナル機器６を介してコントロールセンター１へ送られ、そこから関連のプロジューサ５へ送られる。製造者は、送られている情報信号に応答して、情報信号又は制御コマンド、又はその両方を発生する。この信号は、プロジューサ５からコントロールセンター１へ送られ、そこからベースターミナル機器６へ送られ、そこからターミナル７へ、またおそらくは制御機器８へも送られる。したがって、制御機器８及びターミナル７間にはいずれの種類の直接接続もない。
【０１１９】
コマンドチェーン及び情報チェーンが常にコントロールセンター１を介してプロジューサ５へ進み、且つ戻るということは、瞬時制御信号が常に発生することを意味する。このように、一定動作に瞬時に応答することが可能である。たとえば、これは、双方向テレビを実現できるようにする。ユーザは、テレビ受像機上の表示に即座に応答することができる。画面上の要求と同時に、制御機器８上に１つ又は複数の応答オプションをユーザに送信することができ、次にユーザはこれらのオプションを選択することができる。
【０１２０】
コントロールセンターを介した直接接続とは、ベースターミナル機器の所有者が、コントロールセンターを介して互いに接触することもできることを意味する。一例として、音声リンク及び／又は映像リンクを家庭４内にあるターミナル７間にセットアップすることが可能である。
【０１２１】
上記例において、エンターテインメント機器及び洗濯機が、可能なターミナルとして引用されてきた。住宅又は事務所内の他の機器も、例えば温度調節器、遮光ブラインド又はカーテン、ベネチアンブラインド、暖房機、ドア、警報システム及びコンピュータをこのように作動させることは十分に考えられる。
【０１２２】
機器のさらなる細分を考え、一例としてチューナ又は別のオーディオ機器をスピーカと別体の装置であると見なし、それにより、スピーカを別体の機器として作動させるとともにアドレス指定することができるようにすることも、可能である。テレビ受像機の画面をコンピュータ用のインジケータ機器として使用し、それにより、画面を別体のターミナルとすることも、可能である。
【０１２３】
図８は、ベースターミナル機器６をいかに構成できるかをより詳細に示す。このベースターミナル機器６は、ユーザがコントロールセンター１のオペレータから入手するＳＩＭカード３０を含む。このＳＩＭカード３０は、コントロールセンター１用の識別を含み、それにより、ベースターミナル機器６が配置されている家庭と、この家庭を有効範囲に含むコントロールセンター１との間の明確な関連性がある。コントロールセンター１、すなわち、例えばサービスプロバイダと家庭との間の接続は、インターネットを介して行われ、もちろん多数のサービスプロバイダが同一の通信媒体を使用して働くので、そのような明示的な関連性があることが必要である。このＳＩＭカード３０はまた、明示シリアルナンバと、やはり家庭４に関連付けられた非対称キーの公開部分及び秘密部分とを含む。加えて、ＳＩＭカードは、コントロールセンター１からの公開キーを含む。ＳＩＭカードは、ベースターミナル機器６に挿入されている。
【０１２４】
ベースターミナル機器６は、ドングル３１用のプラグ接続部も備え、これは主に、特定の個人を明示的に識別する方法である。加えて、ドングル３１は、ベースターミナル機器６に接続されたとき、ベースターミナル機器６に挿入されたＳＩＭカード３０から公開キーを取り込む。したがって、個人を識別するドングル３１は同時に、表示の接続部３２を介してベースターミナル機器６に初めて接続された個別ターミナルを植え付ける、すなわち、ベースターミナル機器６に挿入されたＳＩＭカード３０から公開キーを伝送するために使用されることができ、それにより、これらは初期化され、したがって、ベースターミナル機器６と接触することができる。
【０１２５】
ドングル、又はユーザを明示的に識別する公開キーを有するキーペアを含む別の識別子の形の個人識別手段を使用することにより、第１に、例えば、家庭内に複数の個人識別手段３１があるとき、個人別に課金動作を行うことができる。加えて、そのような個人識別により、制御機器８を使用して、そのようなドングルを別の家庭内のベースターミナル機器６に接続し、そこで自身の家庭にアクセスすることができる。これは、遠隔制御又は遠隔保守又は遠隔監視を実行することが可能であることを意味する。
【０１２６】
次に図９は、そのようなシステムの構造をより広い範囲で概略的に示す。図１及び図２に簡略化した形で示された構造は、複数の家庭及びコントロールセンターを伴うが、ここでこれは、多数のコントロールセンターＺが多数の家庭Ｈ及び多数のプロジューサＰに接続されているシステムである。当然ながら、コントロールセンター１が多数の家庭に接続されることに意味があり、各家庭は通常、それを有効範囲に含む１つのコントロールセンター１だけに接続されている。コントロールセンターは、それらの家庭に家庭内に配置されたすべての機器用の情報を与えることを望むので、ターミナルの製造者か、他にターミナル用の情報の供給者である表示のプロジューサは、当然ながら複数のコントロールセンターに接続される。
【０１２７】
この図示の例では、すべてのコントロールセンターが、例えばライセンス課金動作を管理する単一の管理センターＶに接続されている。
【０１２８】
ここに示す例示的な実施形態の場合、管理センターは、人物用のデータベース４０と機器用のデータベース５０とを含む。ビジネスモデルに基づいて、コントロールセンター１、すなわち、例えばサービスプロバイダは、新しい顧客を獲得する毎に、その顧客を管理センターに報告する。管理センターは、データベース４０内に顧客に関する情報を記憶する。
【０１２９】
したがって、コントロールセンターの各顧客は、顧客データベース４０に記録される。顧客はそこに明示的に、すなわち、彼のシリアルナンバ及び／又は彼の公開キーによって記録される。名前及び場所に基づく顧客の実際の識別を可能にする顧客に関するさらなる詳細は、ここでは必要ない。
【０１３０】
コントロールセンター１のすべての顧客は、自分の家庭にあってベースターミナル機器６に接続される各機器用及び／又は機器用の情報の各プロジューサ、特に供給者について格付けを送ることができる。これらの格付けは、コントロールセンターの各顧客がアクセスを読んだデータベース５０内に記録される。しかしながら、各顧客は、自分が持っている機器についてのみ格付けを送ることができ、また、これを１回だけ行うことができる。同じ機器又は同じ情報供給者に対して２度目の格付けを送ることを望む場合、これは、自分のすでに記録されているエントリが変更される結果を生じる。これは、いずれの顧客も、常時入力から格付けを操作することができないことを保証する。加えて、各顧客が、自身が操作している機器用の格付けを送ることができるだけであることが保証される。
【０１３１】
図１０は再び、図６と同様にして、制御機器８の画像を示す。制御機器８は、システムによって定められた固定記号又は数字を含む一連のパネル３８を有する。それぞれ選択されるべき新しい記号又は記述を無制限に提示するために、オープンパネル３７が設けられている。このパネルは、情報のプロジューサ及び／又は供給者も利用可能である。彼らは画面内容をパネル３７に出力することができ、また、それからコマンドを受け取ることができる。
【０１３２】
図１１は、リモコン装置の一例を説明するためのものである。ベースターミナル機器６を介してコントロールセンター１に接続される、図１１の下部にある家庭において、ユーザはドングル４１の形の自分の個人識別手段を制御機器８に差し込む。制御機器８は、このドングル４１が、それを植え込むために使用されることが意図されていないことを識別することができる。これは、制御機器８がすでに公開キーを有するからである。関連のコントロールセンター１をアドレス指定するために、ベースターミナル機器６が使用され、これは、ドングル４１の所有者がベースターミナル機器６の所有者と一致しないことを証明する。ここで２つの場合を区別することが必要である。コントロールセンター１が、それに登録されたドングル４１の所有者を顧客として有する場合、それは、ドングル４１の所有者に関連付けられる家庭も認識する。それが、登録されたドングル４１の所有者を顧客として有していない場合、それは、識別手段４１からの個人がどのコントロールセンターに関連付けられるかを管理センターＶに尋ねる。そのようなコントロールセンターが存在することが証明されると、コントロールセンターはまた、そのような家庭が存在することを認識する。しかしながら、それはこの家庭をまだ認識する必要がない。両方の場合で、ユーザは、自分が滞在している家庭内の機器７、又は自宅の機器７’のいずれを扱いたいかを選択するオプションを入力機器８で与えられる。ユーザが自宅の機器７’をアドレス指定したい場合、コマンド及び情報は、コントロールセンター１から該当の家庭へ、すなわちこの家庭がコントロールセンターに関連付けられている場合、直接的に送られるか、又は、コマンドは、家庭に関連付けられた離れたコントロールセンターへ進められるかのいずれかである。そこから、担当のコントロールセンターが、コマンド及び情報のさらなる編集を行う。
【０１３３】
したがって、さらなる情報は以下の通りである。
【０１３４】
８→６→Ｚ→Ｖ→Ｚ→Ｚ’→Ｐ→Ｚ’→６’→７’→６’→Ｚ’→Ｚ→６→８
個人識別手段、すなわちドングル４１が、ドングル４１の所有者が登録しているコントロールセンターの識別を含む場合、管理センターＶへの要求が省かれる。したがって、情報の流れは幾分より簡単になる。
【０１３５】
８→６→Ｚ→Ｚ’→Ｐ→Ｚ’→６’→７’→６’→Ｚ’→Ｚ→６→８
自身のものであるがよその家庭から遠隔位置の家庭内の、現在動作中の機器７’のオプションは、この個人関連ドングル４１が制御ユニット８内に留まる間に限り、存在し続ける。ユーザが、すなわちドングル４１の所有者がドングルを取り除くとすぐに、このオプションは終了する。
【０１３６】
しかしながら、ドングル４１の所有者が、自身のものであるが遠隔位置の家庭の機器７を作動させるのでなく、自分が現在いる家庭内の機器７を作動させるオプションを選択する場合、所有者がこれらの機器をどれだけ長く使用することができるかについて幾つかのオプションがある。１つのオプションは、やはり自分の個人識別手段４１が制御ユニット８内にある間に限ってこれを行うことができるものである。他のオプションは、例えばこの目的のために特定時間だけ家庭を借りたとき、これらの機器を特定時間だけ制御することができるものである。第３のオプションは、この家庭の実際の所有者がセッティングを再びリセットしなければならないものである。
【０１３７】
次に図１２を参照する。図１２は、ベースターミナル機器６を介してコントロールセンターに接続された家庭が、複数の制御機器８を含む可能性を示す。個人識別手段４１を差し込むことにより、そのような個人識別手段の所有者はこの時、この制御ユニット８を自分のものにすることができる。プリセットに基づいて、彼はこの時に自分の制御ユニットを使用してある特定のことを行うことができる一方、別のユーザが、同様に彼の個人識別手段によって識別されて、別の制御ユニット８を使用して別のことだけを行うことができる。もちろん、二人のユーザが同一の機器を同時に制御できることには意味がない。しかしながら、一方のユーザが一室で機器を制御できる一方、他のユーザが別室の機器を制御するために自分の制御ユニット８を使用することができることには、十分な意味がある。この一般的な考察の場合、制御ユニット８は、図６及び図１０に示されているものと同様に、入力機構及び表示機構を有する機器であると仮定する。
【０１３８】
しかしながら、制御機器の入力部分を制御機器のインジケータ部分から分離させることが可能であり、ここで図１２を参照しながら示す。したがって、使用する入力部分は、例えばマイクロフォン４３を含む別体の機器４２であろう。このマイクロフォン４３は、音声入力を生じるために使用されることができ、音声入力は、制御ユニット８の入力と同様にして処理される、すなわち、ベースターミナル機器６からコントロールセンターへ送られて、そこで解釈されるか、プロジューサへ転送される。そのような音声制御への応答は、それが機器７の変更を直接的に生じない場合、いずれにしても存在する制御機器８に情報として表示されることができる。１つの発展は、キーを使用する入力のオプションを有していない特別なインジケータ機器があることであろう。制御ユニットについてディスプレイ及び入力が分離しているときでも、特定の人々と特定のインジケータユニットとの関連性をセットアップすることが可能である。マイクロフォン４３及び関連の電子機器は、インジケータ機器よりはるかに小型で実現されることができるので、そのような解決策は、例えばユーザが家庭内で常に携帯するのにも適する。その場合、どの機器を作動させる必要があるかを確認するために、冒頭で述べたように、特定の個人の位置を特定するのにも適する。
【０１３９】
情報の流れの暗号化が意図されることについて、すでに何度も述べている。暗号化のために、以下の手順を使用することができる。情報を送りたい側は、対称キー及び乱数制御を作成し、それを使用して、送信しようとするデータを暗号化する。次に、それは、受信者からの公開キーで対称キーを暗号化する。次に、それは暗号化データ及び暗号化キーを送る。受信者はその秘密キーを使用して、暗号化対称キーを、次にそれで暗号化されたデータを解読する。この暗号化オプションには、対称暗号化にはほとんど時間が掛からないとともに、時間の掛かる非対称暗号化は、それ自体短い対称キーのみに関連付けられるという利点がある。
【０１４０】
本方法のさらなる利点は、対称的に暗号化されたデータを複数の受信者が利用可能にすることができることである。このために、無作為に選択された対称キーを暗号化して、それぞれの公開キーを有する各受信者に送信する。
【０１４１】
この種類の暗号化は、プロジューサがデータをベースターミナル機器６内に、例えばハードディスクに比較的長期にわたって記憶するときにも使用されることができる。
【図面の簡単な説明】
【０１４２】
【図１】本発明に基づいたシステムの概要図
【図２】ベースに接続されたターミナルを示す図
【図３】図２の例をより詳細に示す概略図
【図４】第１状態にある制御機器を示す図
【図５】第２状態にある制御機器を示す図
【図６】第３状態にある制御機器を示す図
【図７】制御の流れの非常に簡略化した概略図
【図８】ベースターミナル機器の簡略図
【図９】複数のコントロールセンター及び管理センターを有するシステムを示す図
【図１０】制御ユニット上の入力パネルの、図６のものに対応する図
【図１１】図９のものと同様な図
【図１２】さらに発展した実施形態についての、図２のものに対応する図
【符号の説明】
【０１４３】
１        コントロールセンター
２、３    データベース
４        ユニット
５        プロジューサ
６        ベースターミナル機器
７        ターミナル
８        制御機器
９        画面
１１      テレビ受像機
１２      チューナ、オーディオ機器
１３      洗濯機
１４      ビデオレコーダ
１５      ＤＶＤプレーヤ
１６      ＣＤプレーヤ
３０      ＳＩＭカード
３１      ドングル
３７、３８  パネル
４０      人物用データベース、顧客データベース
４１      ドングル
４３      マイクロフォン
５０      機器用データベース
【図１】
2009533914.tif 000003
【図２】
2009533914.tif 000004
【図３】
2009533914.tif 000005
【図４】
2009533914.tif 000006
【図５】
2009533914.tif 000007
【図６】
2009533914.tif 000008
【図７】
2009533914.tif 000009
【図８】
2009533914.tif 000010
【図９】
2009533914.tif 000011
【図１０】
2009533914.tif 000012
【図１１】
2009533914.tif 000013
【図１２】
2009533914.tif 000014
【国際調査報告】
2009533914.tif 000015
2009533914.tif 000016
2009533914.tif 000017
2009533914.tif 000018
2009533914.tif 000019
2009533914.tif 000020
2009533914.tif 000021
2009533914.tif 000022
2009533914.tif 000023
2009533914.tif 000024
2009533914.tif 000025
2009533914.tif 000026
2009533914.tif 000027
2009533914.tif 000028